(57)【要約】【課題】  内容物に直接手が触れることなく毛髪への塗布操作ができるとともに、密閉性と操作性に優れ、且つデットスペースの少ない容器を提供する。【解決手段】  有底の容器本体１と、前記容器本体１に嵌合する蓋体１０と、前記容器本体１に水平回動可能に嵌着され複数の透孔２１が設けられた掻き取り栓２０と、前記掻き取り栓２０の透孔２１を挿通して前記容器本体１の底壁３近傍に達する櫛歯３１を有し前記掻き取り栓２０の上面に取り出し可能に収納される塗布具３０とを有し、前記塗布具３０の基盤３５の上面に薄肉部３３を介して起倒可能に取手３２を一体形成したことを特徴としており、塗布具３０を掻き取り栓２０から引き上げることにより余分な整髪料を掻き取り栓２０で掻き落として付着量を調整し、塗布具３０の取手３２を倒した状態で塗布具３０を容器に収納するようにした。【選択図】      図１
2005080730.tif 000002
【特許請求の範囲】
【請求項１】
有底の容器本体と、前記容器本体に嵌合する蓋体と、前記容器本体に水平回動可能に嵌着され複数の透孔が設けられた掻き取り栓と、前記掻き取り栓の透孔を挿通して前記本体の底壁近傍に達する櫛歯を有し前記掻き取り栓の上面に取り出し可能に収納される塗布具とを有し、前記塗布具の基盤の上面に薄肉部を介して起倒可能に取手を一体形成したことを特徴する塗布具付き容器。
【請求項２】
前記取手が接合可能に対向する二枚の把持板から成ることを特徴とする請求項１記載の塗布具付き容器。
【請求項３】
前記二枚の把持板の対向面に前記把持板同士の係着機構を設けたことを特徴とする請求項１又は請求項２記載の塗布具付き容器。
【発明の詳細な説明】
【技術分野】
【０００１】
本発明は、ポマードなど毛髪を好みのヘアースタイルに維持する整髪料の収納と塗布に好適な塗布具付き容器に関する。
【背景技術】
【０００２】
ポマードのように比較的流動性の低いクリーム状あるいはワックス状の整髪料は、旧来のポマード容器と同様にネジ蓋付きの広口瓶に収納されており、使用者は、内容物を直接手に取って毛髪に付着させたり、手指に取った内容物を櫛に付着させて使用しており、内容物によって手が汚れてしまう問題がある。
【０００３】
従来より、ポマードのような内容物に直接手が触れないように使用できる容器として、例えば、実公昭３５−３００３３号公報や実公昭３７−８２３３号公報、実公昭４０−２４４７０号公報に開示されたポマード押出し容器が知られている。これら従来のポマード容器は、容器に形成した櫛歯状の塗布体部に容器内から透孔を通してポマードを押し出し、容器を把持し塗布体部で毛髪を梳くことにより、内容物に直接手を触れることなく使用できるようになっている。
【０００４】
また、ポマード容器ではないが、特開２０００−１６８８２３号公報には、蓋に取り付けられた把持部を有する櫛を筒状の容器本体から引き抜くことにより、櫛に付着する化粧料が払拭部により適正量に調整され、蓋を把持してマスカラ等の化粧料を睫毛等に塗布するのに好適な櫛型塗布具付き容器が開示されている。
【特許文献１】実公昭３５−３００３３号公報
【特許文献２】実公昭３７−８２３３号公報
【特許文献３】実公昭４０−２４４７０号公報
【特許文献４】特開２０００−１６８８２３号公報
【発明の開示】
【発明が解決しようとする課題】
【０００５】
上記従来のポマード押し出し容器等は、容器内の押し出し板を指先で押圧する操作によって櫛歯状の塗布体部に内容物を付着させる構成であるので、内容物の取り出し操作性が悪いえうに、容器本体を把持して塗布操作をするので塗布操作性もよくない。また、保存時の内容物が押し出し用の透孔から漏れ出る虞のある密閉性の悪い構成であり、現在の高粘度の整髪料の容器として採用するには機能的に欠点が多い。
【０００６】
また、上記従来の櫛型塗布具付き容器は、把持部を持って櫛の操作をするので操作性がよく内容物の塗布量が少ないマスカラ容器としては好適であるが、ポマード等の整髪料のような高粘度の内容物を収納したり、それを頭髪へ塗布するには不適な構成の容器である。
【０００７】
本発明は、上記の問題に鑑みてなされたもので、内容物に直接手が触れることなく毛髪への塗布操作ができるとともに、密閉性と操作性に優れ、且つデットスペースの少ない容器とすることにある。
【課題を解決するための手段】
【０００８】
本発明は、上記の問題を解決するために、有底の容器本体と、前記容器本体に嵌合する蓋体と、前記容器本体に水平回動可能に嵌着され複数の透孔が設けられた掻き取り栓と、前記掻き取り栓の透孔を挿通して前記容器本体の底壁近傍に達する櫛歯を有し前記掻き取り栓の上面に取り出し可能に収納される塗布具とを有し、前記塗布具の基盤の上面に薄肉部を介して起倒可能に取手を一体形成したことを特徴としており、塗布具の取手を把持して塗布具と共に掻き取り栓を回転させて櫛歯に整髪料を付着させ、塗布具を掻き取り栓から引き上げることにより余分な整髪料を掻き取り栓で掻き落として付着量を調整し、適量の整髪料が付着した塗布具を用いて整髪操作を行い、保管時には塗布具の取手を倒した状態で塗布具を容器に収納するようにした。
【０００９】
また、取手が接合可能に対向する二枚の把持板から成ることを特徴としており、塗布具を使用するときは二枚の把持板を起立接合させて用いるようにした。
【００１０】
また、二枚の把持板の対向面に前記把持板同士の係着機構を設けたことを特徴としており、二枚の把持板の起立接合状態を固定できるようにした。
【発明の効果】
【００１１】
本発明によれば、容器に収納された状態の塗布具を取手を使って回転させることで高粘度の整髪料を塗布具の櫛歯に確実に付着させることができると共に塗布具を本体から取り出すだけで整髪料の付着量が調整されるようにしたので、手を汚すことなく簡単な操作で適正量の整髪料を塗布具に付着させることができ、取手のある塗布具を使って塗布するので操作性に優れている。
【００１２】
塗布具が本体に収納されているときは、塗布具の櫛歯が掻き取り栓の透孔を挿通した状態で透孔を閉塞するので、整髪料の密閉性を高く維持することができると共に、取手を倒した状態にして容器に収納するので、容器のデットスペースを少なくできるうえに、塗布具の取手を大型に形成して使い易くすることができる。
【００１３】
また、塗布具を使用するときは、取手の二枚の把持板を起立接合させて用いることにより取手の剛性が維持され、取手の把持板が塗布具の基盤に対して薄肉部分から曲ってしまうことがなく、塗布具の操作性が良い。
【００１４】
また、二枚の把持板の起立接合状態を係着機構で固定することにより、塗布具操作時における把持板同士のずれが防止され、更に塗布具の使い勝手が向上する。
【発明を実施するための最良の形態】
【００１５】
以下、本発明の好適な実施の形態を、添付した図面を参照しながら詳細に説明する。
【００１６】
本発明の塗布具付き容器は、有底の容器本体１と、前記容器本体１に嵌合する蓋体１０と、前記容器本体１に水平回動可能に嵌着され複数の透孔２１が設けられた掻き取り栓２０と、前記掻き取り栓２０の透孔２１を挿通して前記容器本体１の底壁３近傍に達する櫛歯３１を有し前記掻き取り栓２０の上面に取り出し可能に収納される塗布具３０とを有して構成されている。
【００１７】
容器本体１は、胴部５と広口の頚部２と底壁３とから成る合成樹脂製の瓶であり、頚部２の外周には雄ネジ４が刻設されている。
【００１８】
蓋体１０は、周壁１１と頂壁１２とから成り、内周壁に本体１の雄ネジ４と螺合する雌ネジ１１ａが刻設され、頂壁１２の下面にはパッキン１３が貼着されている。
【００１９】
掻き取り栓２０は、円形の掻き取り板部２２と、その外縁に立設された周壁部２４と、周壁部２４上端のフランジ部２３とで皿状の凹所２５を形成した栓体であり、本体１の頚部２に水平回動可能に嵌挿されている。
【００２０】
掻き取り栓２０の掻き取り板部２２には、塗布具３０の櫛歯３１が挿通する透孔２１が穿孔されており、前記透孔２１の数と位置は、掻き取り栓２０の凹所２５に収納される塗布具３０における各櫛歯３１の数と櫛歯３１の配設位置に対応している。
【００２１】
掻き取り板部２２の透孔２１は、容器本体１内に充填されている高粘度の整髪料Ｓを塗布具３０の櫛歯３１に適量調整付着させるものであり、各透孔２１の径は、櫛歯３１に付着させる整髪料の適量を見込んで櫛歯３１の外径よりも大きな寸法に設定されている。従って、櫛歯３１が透孔２１から引き抜かれると、余分に付着した整髪料は掻き取り板部２２で掻き落とされ、塗布具３０の櫛歯３１の部分に適量の整髪料が付着する。
【００２２】
塗布具３０は、円形の基盤３５と、基盤３５の上面に薄肉部分３３を介して起倒可能に一体形成され起立状態では接合可能に対向する二枚の把持板３２ａ、３２ｂから成る取手３２と、前記基盤３５の下面に複数突設され掻き取り栓２０の透孔２１を挿通して本体１の底壁３近傍に迄達する長さの複数の櫛歯３１とから構成されている。
【００２３】
塗布具３０は、図１に示すように、保管時には取手３２の把持板３２ａ、３２ｂを薄肉部３３から左右に倒した状態で容器内における掻き取り栓２０の凹所２５に収納される。したがって、容器のデットスペースが極めて少なくできるうえに、容器の大きさに比較して大型の取手３２とすることができ、使い易い塗布具３０とすることができる。
【００２４】
塗布具３０を使用するときは、蓋体１０を取りはずと、図３に示すように、取手３２の二枚の把持板３２ａ、３２ｂが薄肉部３３、３３の弾性力で僅かに起立することから、図３、図４に示すように、これを起立接合させて把持する。これにより取手３２の剛性が維持され、使用中に把持板３２ａ、３２ｂの薄肉部分３３、３３から曲がってしまうことが防止される。
【００２５】
また、図２、図３に示すように、把持板３２ａ、３２ｂの接合面に凸凹からなる係着機構３４を設け、把持板３２ａ、３２ｂの起立接合状態を係着機構３４で仮固定することにより、塗布具３０の操作時における把持板３２ａ、３２ｂ同士のずれを防止するよにするとよい。
【００２６】
塗布具３０の櫛歯３１は、図５に示すように、基盤３５の裏面に縦横均等間隔に設けられており、櫛歯３１が挿通する掻き取り栓２０の透孔２１も、各櫛歯３１の数とその配設位置に対応して穿孔されている。
【００２７】
尚、塗布具３０の櫛歯３１の配列と掻き取り栓２５の透孔２１の配列は、図示した配列例に限るものではなく、塗布具３０を掻き取り栓２５の凹所２５に収納する際に行う櫛歯３１と透孔２１との位置合わせが比較的容易に行える配列としておけばよい。
【００２８】
また、塗布具３０は、円形に限るものではなく、図６に示すように、矩形等に形成してもよい。
【００２９】
塗布具３０の保管時には、その櫛歯３１が掻き取り栓２０の透孔２１を挿通して掻き取り栓２０の上面凹所２５に収納されることから、塗布具３０の櫛歯３１が掻き取り栓２０の透孔２１を閉塞し、整髪料Ｓの密閉が良好に維持される。
【００３０】
次に、以上のように構成された容器の使用について説明する。開蓋状態にして塗布具３０の把持板３２ａ、３２ｂを起立接合して取手３２を把持し、容器本体１内において塗布具３０を水平回転させると、塗布具３０と共に掻き取り栓２０も回転し、櫛歯３１の回転方向にまんべんなく整髪料Ｓが付着する。
【００３１】
塗布具３０を容器本体１内から引き上げると、整髪料Ｓに刺さり櫛歯３１に付着した余分な整髪料は掻き取り栓２０で掻き落とされる。したがって、塗布具３０を引き上げる操作をするだけ一本一本の各櫛歯３１に適量の整髪料が付着し、そのまま塗布具３０を用いて塗布操作ができる。
【００３２】
使い終えた塗布具３０は、櫛歯３１を掻き取り栓２０の透孔２１に挿通して本体１内に戻し、把持板３２ａ、３２ｂを倒して閉蓋する。
【００３３】
尚、塗布具３０の取手３２は二枚の把持板３２ａ、３２ｂに限るものではなく、図７に示すように、取手３２を起倒可能な一枚の把持板３２ｃにして塗布具３０の引き揚げ操作に用い、塗布操作をするときは基盤３５の縁部３５ａを把持して行うようにしてもよい。
【００３４】
また、極めて高粘度の整髪料Ｓを収納し、そのため塗布具３０を回す際に強い力が必要な場合には、 図８に示すように、掻き取り栓２０におけるフランジ部２３の下面に係合溝２６を設けて、この掻き取り栓２０を本体１の頚部２の上端に周設した係合突起６とアンダーカット係合させた構成の容器とし、掻き取り栓２０のフランジ部２３を把持した回転操作により塗布具３０を回すようにするとよい。
【００３５】
また、蓋体１０も、ネジ蓋に限るものではなく、図９に示すように、ヒンジ蓋１０ａを使用してもよい。このヒンジ蓋体１０ａは、その先端部１４に指をかけてヒンジ１５を使って開閉することができるので、蓋体１０ａを取り外すことなく塗布具３０の操作ができ、便利である。
【図面の簡単な説明】
【００３６】
【図１】本発明の塗布具付き容器の好ましい実施の形態を示す断面図。
【図２】図１の塗布具付き容器における塗布具を示す断面図。
【図３】図２の塗布具の使用するときの状態を示す断面図。
【図４】図３の塗布具を示す側面図。
【図５】図１の塗布具付き容器で使用される塗布具の一例を示す底面図。
【図６】図１の塗布具付き容器で使用される別の塗布具を示す底面図。
【図７】図１の塗布具付き容器で使用される別の塗布具を示す底面図。
【図８】本発明の塗布具付き容器で使用される別の掻き取り栓の装着状態を示す断面図。
【図９】本発明の塗布具付き容器で使用される別の蓋体の装着状態を示す断面図。
【符号の説明】
【００３７】
１  容器本体，３  底壁，１０  蓋体，２０  掻き取り栓，２１  透孔，３０  塗布具，３１  櫛歯，３０  取手，３２ａ、３２ｂ  把持板，３３  薄肉部分，３４  係着機構，３５  基盤
【図１】
2005080730.tif 000003
【図２】
2005080730.tif 000004
【図３】
2005080730.tif 000005
【図４】
2005080730.tif 000006
【図５】
2005080730.tif 000007
【図６】
2005080730.tif 000008
【図７】
2005080730.tif 000009
【図８】
2005080730.tif 000010
【図９】
2005080730.tif 000011